(57)【要約】【課題】  暖房乾燥機からの温風等を分岐して浴室内の遮蔽部内や隣接する洗面室内等に効果的に導くことにより、これら空間の暖房・乾燥を可能にし得る衛生設備ユニットを提供する。【解決手段】  内部にバスタブが設置され該バスタブの側方にカウンターを有する洗い場が設けられた浴室と、該浴室にドアを介して出入り可能に連結された洗面室等を備えた衛生設備ユニットであって、浴室内に暖房乾燥機を設置すると共に、該暖房乾燥機から発生する温風等を浴室内の開空間と閉空間内及び洗面室内等の複数個所に導くように構成する。前記暖房乾燥機は、ダクトがそれぞれ連結された複数の吹出口を有して該吹出口の開閉が制御される如く構成される。【選択図】  図１
2006084095.tif 000002
【特許請求の範囲】
【請求項１】
内部にバスタブが設置され該バスタブの側方にカウンターを有する洗い場が設けられた浴室と、該浴室にドアを介して出入り可能に連結された洗面室等を備えた衛生設備ユニットであって、
前記浴室内に暖房乾燥機を設置すると共に、該暖房乾燥機から発生する温風等を浴室内の開空間と閉空間及び洗面室内等の複数個所に導くように構成したことを特徴とする衛生設備ユニット。
【請求項２】
前記閉空間は、バスタブエプロン内側の閉空間とカウンターエプロン内側の閉空間であり、該閉空間と暖房乾燥機の吹出口とがダクトで連結されていることを特徴とする請求項１に記載の衛生設備ユニット。
【請求項３】
前記洗面室等と浴室との間の壁面に吹出口が設けられ、該吹出口が前記暖房乾燥機の吹出口にダクトで連結されていることを特徴とする請求項１または２に記載の衛生設備ユニット。
【請求項４】
前記洗面室等と連結されるダクトは、洗面室等のフロアーに設けた排水路に連通されていることを特徴とする請求項３に記載の衛生設備ユニット。
【請求項５】
前記暖房乾燥機は、ダクトがそれぞれ連結された複数の吹出口を有して該吹出口の開閉が制御される如く構成されていることを特徴とする請求項１ないし４のいずれかに記載の衛生設備ユニット。
【発明の詳細な説明】
【技術分野】
【０００１】
本発明は、浴室と洗面室等とが一体化された衛生設備ユニットに係わり、特にその暖房乾燥機の設置構造に関する。
【背景技術】
【０００２】
従来、ユニットバスルーム等の浴室に、脱衣場を兼ねる洗面室あるいはトイレルーム等が一体的に組み立てられて形成される衛生設備ユニットとしては、例えば図７に示すものが使用されている。この衛生設備ユニット１０１は、浴室１０２の壁面１０２ａ側にバスタブ１０３が設置され、このバスタブ１０３の側方の防水パン上に洗い場１０４が設けられると共に、バスタブ１０３の背足方向の一方側の壁面１０２ｂにカウンター１０８が設けられている。また、浴室１０２に一体化される洗面室１０５は、浴室１０２との境界部分の壁面１０７に設けたドア１０７ａによって浴室１０２に出入り可能に形成されると共に、壁面１０５ａ側には洗面台１０６等が設置されている。
【０００３】
そして、このような衛生設備ユニット１０１の浴室１０２内には、温風等を浴室１０２内に吹き出すことにより、浴室１０２内を暖房したり洗濯物を乾燥させる暖房乾燥機が設置される場合があり、この時暖房乾燥機１０９は、図７に示すように、浴室１０２のカウンター１０８の洗い場１０４側の内部に設置されて温風等を洗い場１０４上に吹き出すか、あるいは図８に示すように、浴室１０２のバスタブ１０３側の壁面１０２ａの上部に設置されて浴室１０２内に温風等を吹き出すように構成されている。この種の暖房乾燥機としては、例えば特許文献１に開示されている。
【特許文献１】特開２００３−２３５９３０号公報
【発明の開示】
【発明が解決しようとする課題】
【０００４】
しかしながら、このような衛生設備ユニット１０１においては、暖房乾燥機１０９から発生する温風等が、浴室１０２内に直接吹き出されて浴室１０２内の遮蔽部分であるカウンターエプロン内側やバスタブエプロン内側の閉空間Ｋ１、Ｋ２以外の開空間Ｋ３のみを暖房したり乾燥する構造であるため、浴室１０２内の閉空間Ｋ１、Ｋ２を十分に乾燥させることが困難であると共に、浴室１０２に一体的に連結される洗面室１０５内の洗面室空間Ｋ４を暖房・乾燥することも困難である。
【０００５】
本発明は、このような事情に鑑みてなされたもので、その目的は、暖房乾燥機からの温風等を分岐して浴室内の遮蔽部内や隣接する洗面室内等に効果的に導くことにより、これら空間の暖房・乾燥を可能にし得る衛生設備ユニットを提供することにある。
【課題を解決するための手段】
【０００６】
かかる目的を達成すべく、本発明のうち請求項１に記載の発明は、内部にバスタブが設置され該バスタブの側方にカウンターを有する洗い場が設けられた浴室と、該浴室にドアを介して出入り可能に連結された洗面室等を備えた衛生設備ユニットであって、前記浴室内に暖房乾燥機を設置すると共に、該暖房乾燥機から発生する温風等を浴室内の開空間と閉空間及び洗面室内等の複数個所に導くように構成したことを特徴とする。
【０００７】
そして、前記閉空間は、請求項２に記載の発明のように、バスタブエプロン内側の閉空間とカウンターエプロン内側の閉空間であり、該閉空間と暖房乾燥機の吹出口とがダクトで連結されていることが好ましい。
【０００８】
また、請求項３に記載の発明のように、前記洗面室等と浴室との間の壁面に吹出口が設けられ、該吹出口が前記暖房乾燥機の吹出口にダクトで連結されていることが好ましく、この場合、前記洗面室等に連結されるダクトは、請求項４に記載の発明のように、洗面室等のフロアーに設けた排水路に連通されていることが好ましい。さらに、前記暖房乾燥機は、請求項５に記載の発明のように、ダクトがそれぞれ連結された複数の吹出口を有して該吹出口の開閉が制御される如く構成されていることが好ましい。
【発明の効果】
【０００９】
本発明の請求項１に記載の発明によれば、浴室内に設置される暖房乾燥機から発生する温風等が分岐されて、浴室内の開空間と閉空間及び洗面室内等の少なくとも複数個所に導かれるため、浴室で暖房・乾燥に使用される温風等を浴室に隣接する洗面室等に吹き出して該室内を暖房・乾燥できで、例えば暖房状態で脱衣できたり、洗面室に設置される洗濯機で洗濯した洗濯物をそのまま洗面室で干して乾燥させることができる等、使い勝手に優れた衛生設備ユニットを得ることができると共に、浴室内の閉空間を効率的に乾燥させてその清潔さを確保することもできる。
【００１０】
また、請求項２に記載の発明によれば、請求項１に記載の発明の効果に加え、閉空間がバスタブエプロン内側の閉空間とカウンターエプロン内側の閉空間で、これらの閉空間と暖房乾燥機の吹出口とがダクトで連結されているため、ダクトにより浴室内の閉空間内に温風等を確実に導くことができて、該閉空間を一層効率的に換気・乾燥して十分な清潔さを確保することができる。
【００１１】
また、請求項３に記載の発明によれば、請求項１または２に記載の発明の効果に加え、洗面室等と浴室との間の壁面に吹出口が設けられ、この吹出口が暖房乾燥機の吹出口にダクトで連結されているため、浴室との間の壁面の吹出口から温風等を洗面室内に確実に吹き出すことができて、洗面室等の暖房・乾燥を効率的に行うことができる。
【００１２】
また、請求項４に記載の発明によれば、請求項３に記載の発明の効果に加え、洗面室等に連結されるダクトが洗面室等のアロアーに設けた例えば洗濯機用排水路に連通されるため、暖房乾燥機からの温風等を排水路に吹き出し、該排水路を換気・乾燥して十分な清潔さを確保することができる。
【００１３】
さらに、請求項５に記載の発明によれば、請求項１ないし４に記載の発明の効果に加え、暖房乾燥機が複数の吹出口を有してこの吹出口の開閉が制御されるため、例えば入浴中には温風等を浴室内のみに導き入浴前後には温風等を洗面室等に導く等、浴室や洗面室等の使用形態に応じて温風等を所定の吹出口から所定の空間に吹き出すことができて、暖房乾燥機の効率的な運転を行うことができる。
【発明を実施するための最良の形態】
【００１４】
以下、本発明の実施の形態を図面に基づいて詳細に説明する。
図１〜図５は、本発明に係わる衛生設備ユニットの一実施形態を示し、図１がその概略平面図、図２が図１のＡ−Ａ線に沿った矢視図、図３が図１のＢ−Ｂ線に沿った矢視図、図４が洗面室用吹出口の断面図、図５が動作の一例を示すタイミングチャートである。
【００１５】
図１〜図３に示すように、衛生設備ユニット１は、３つの壁面２ａ〜２ｃと天井２ｄを有して壁面２ｂ側にバスタブ３が設置され、このバスタブ３の側方の防水パン上に洗い場４が設けられた浴室２と、３つの壁面５ａ〜５ｃを有して壁面５ｃ側に洗面台６が設置された洗面室５等で構成され、浴室２と洗面室５は開閉可能なドア７ａを有する壁面７を介して一体的に連結されている。
【００１６】
そして、浴室２のバスタブ３の背足方向の一端側となる壁面２ｃ側には、バスタブ３から洗い場４にかけてカウンター８が設置され、このカウンター８の内部で洗い場４側には暖房乾燥機９が設置されている。なお、カウンター８は、その上面（カウンター面）と前面のカウンターエプロン８ａが遮蔽部となり内部に閉空間Ｋ１が形成され、またバスタブ３の周囲には、壁面２ａ〜２ｃやバスタブ３の洗い場４側に着脱可能に配置されたバスタブエプロン３ａが遮蔽部となり内部に閉空間Ｋ２が形成されており、浴室２内におけるこの閉空間Ｋ１、Ｋ２以外の空間が開空間Ｋ３となっている。  
【００１７】
前記暖房乾燥機９は、筐体９ａ内に配置された熱交換器１２や送風ファン１３（図３参照）を有し、熱交換器１２の図示しない多数枚のフィンを連結する温水供給管に給湯機から温水を供給しつつ送風ファン１３を回転させることにより乾いた温風を発生させたり、温水供給管に温水を供給しない状態で送風ファン１３を回転させることにより送風したり、あるいは温水供給管に温水を供給した状態でフィンに所定温度の湯水を放散させることにより湿った温風を発生させることが可能に構成されている。
【００１８】
そして、筐体９ａには、複数（図では３つ）の筐体吹出口１４ａ〜１４ｃが設けられ、これらの各筐体吹出口１４ａ〜１４ｃにはダクト１５ａ〜１５ｃがそれぞれ連結されている。すなわち、筐体９ａ前面の左右幅方向中央の筐体吹出口１４ａには、先端がカウンターエプロン８ａに設けた吹出口１６ａに連結されたダクト１５ａの基端部が連結され、筐体９ａ前面のバスタブ３側の筐体吹出口１４ｂには、先端がカウンター８内側の前記閉空間Ｋ１とバスタブエプロン３ａ内側の前記閉空間Ｋ２に開口したダクト１５ｂの基端部が連結され、さらに、筐体９ａ前面の洗面室５側の筐体吹出口１４ｃには、先端が前記壁面７に設けた吹出口１６ｃに連結されたダクト１５ｃの基端部が連結されている。
【００１９】
なお、ダクト１５ａの先端が連結される吹出口１６ａは、図２に示すように、カウンターエプロン８ａの幅方向の略中間位置下部に設けた開口にスリット形状のルーバー１７を配置することで形成されている。この吹出口１６ａが設けられるカウンターエプロン８ａの吹出口１６ａ上方には、横方向のスリット状の吸気孔１８が形成されている。また、ダクト１５ｃの先端が連結される吹出口１６ｃは、図４に示すように、壁面７の下部に穿設された貫通孔１９にダクト１５ｃを貫通させ、その先端に多数の例えばスリット孔を有する着脱可能な吹出口カバー２０を装着することによって形成されている。
【００２０】
また、暖房乾燥機９の各筐体吹出口１４ａ〜１４ｃにはダンパー（図示せず）がそれぞれ設けられており、この各ダンパーが、浴室２の壁面２ｂに設けた室内リモコン２１あるいは壁面７の洗面室５側に設けた室外リモコン２２（図１参照）に接続された制御装置２３によりそれぞれ開閉制御される。この各ダンパーの開閉制御により、後述する如く所定の筐体吹出口１４ａ〜１４ｃが開放し、各吹出口１４ａ〜１４ｃに連結されたダクト１５ａ〜１５ｂを介して、温風等が浴室２内の開空間Ｋ３や浴室２内の閉空間Ｋ１、Ｋ２あるいは洗面室５内の洗面室空間Ｋ４に吹き出されるようになっている。
【００２１】
次に、このように構成された衛生設備ユニット１の動作の一例を、図５等を参照して説明する。先ず、暖房乾燥機９は、前記室内リモコン２１か室外リモコン２２の操作と制御装置２３によって、例えば暖房運転と、浴室２内と洗面室５内での乾燥運転が可能となるように構成されている。そして、暖房乾燥機９を暖房運転する場合には、図５（ａ）に示すように、暖房乾燥機９の各筐体吹出口１４ａ〜１４ｃに設けたダンパーが開閉制御される。
【００２２】
すなわち、入浴しようとする入浴者や家族が室外リモコン２２の例えば暖房運転スイッチをオン操作すると、このオン操作と同時に暖房乾燥機９が作動（ＯＮ）して乾いた温風を発生させると共に、筐体吹出口１４ｃのタンパー（洗面室用ダンパーという）を「開」にしてダクト１５ｃ及び吹出口１６ｃを介して洗面室空間Ｋ４に温風を予め設定した所定時間吹き出す。この洗面室５への温風の吹き出しにより洗面室空間Ｋ４が所定温度まで暖房されて、例えば冬季であっても暖かな洗面室５で入浴者が脱衣できることになる。
【００２３】
また、暖房乾燥機９が作動開始してから所定時間が経過すると、筐体吹出口１４ａのダンパー（開空間用ダンパーという）が所定時間「開」となり、ダクト１５ａを介して吹出口１６ａから洗い場４上に温風が吹き出されて、浴室２内の開空間Ｋ３が所定温度まで暖房される。なお、開空間用ダンパーが「開」の場合にのみ、暖房乾燥機９で暖房効率に優れた湿った温風を発生させ、この湿った温風を洗い場４上に吹き出す構成としても良い。この暖房により入浴者が暖房状態で入浴できることになり、この入浴中時に、筐体吹出口１４ｃの洗面室用ダンパーは「閉」とされて、洗面室５内への温風の吹き出しが停止されていることから、暖房乾燥機９の温風のほとんどが浴室２内に吹き出されて、浴室２内の開空間Ｋ３が効率的に暖房されると共に、湿った温風が浴室２以外に供給されることが防止される。
【００２４】
そして、入浴者により室内リモコン２１で暖房運転スイッチがオフ操作されるかあるいは予め設定した入浴時間が経過すると、筐体吹出口１４ｃの洗面室用ダンパーが再び「開」となって、ダクト１５ｃと吹出口１６ｃを介して洗面室５内に乾いた温風が吹き出されて、洗面室空間Ｋ４が所定温度まで暖房される。この暖房状態で入浴者が浴室２から出て洗面室５内で着衣できることになる。
【００２５】
また、筐体吹出口１４ｃの洗面室用ダンパーの「開」と略同時に筐体吹出口１４ｂのダンパー（閉空間用ダンパーという）が「開」となり、ダクト１５ｂを介して閉空間Ｋ１、Ｋ２内に乾いた温風が吹き出され、入浴により湿気が多くなった閉空間Ｋ１、Ｋ２内が乾燥される。これにより、入浴後に閉空間Ｋ１、Ｋ２内に湿気が滞留して例えば黴等が発生することがなくなり、閉空間Ｋ１、Ｋ２内に清潔さを確保できることになる。そして、洗面室５で服を着た入浴者が室外リモコン２２の暖房運転スイッチをオフ操作するか予め設定した時間が経過すると、浴室２内に設置されている暖房乾燥機９が停止（ＯＦＦ）して、各筐体吹出口１４ａ〜１４ｃのダンパーが初期状態である「閉」状態に設定されて、温風の浴室２内や洗面室５内への吹き出しが停止される。
【００２６】
一方、暖房乾燥機９により浴室２内を乾燥運転する場合は、図５（ｂ）に示すように、例えば室外リモコン２２の浴室乾燥運転スイッチをオン操作すると、暖房乾燥機９が作動し筐体吹出口１４ａの開空間用ダンパーと筐体吹出口１４ｂの閉空間用ダンパーが共に「開」となると共に、図示しない換気扇が作動する。これにより、浴室２内の居住空間Ｋ３と閉空間Ｋ１、Ｋ２内に乾いた温風（もしくは送風）が吹き出されてこれらの空間Ｋ１〜Ｋ３（浴室２内の全空間）が乾燥状態となり、例えばバスタブ３上方に設けた干し棒にかけた洗濯物を乾燥させる、すなわち浴室２内での衣類乾燥が可能となる。この浴室２内での衣類乾燥の場合には、筐体吹出口１４ｃの洗面室用ダンパーは「閉」とされて、洗面室５への温風の吹き出しが停止されている。
【００２７】
また、暖房乾燥機９により洗面室５内を乾燥運転する場合は、図５（ｃ）に示すように、例えば室外リモコン２２の洗面室乾燥運転スイッチをオン操作すると、暖房乾燥機９が作動し筐体吹出口１４ｃの洗面室用ダンパーが「開」となり、ダクト１５ｃ及び吹出口１６ｃを介して洗面室５内に乾いた温風（もしくは送風）が吹き出されると共に、図示しない換気扇が作動して洗面室５内が乾燥状態となり、洗面室５の天井側に設けた干し棒にかけた洗濯物を乾燥させる、すなわち洗面室５内での衣類乾燥が可能となる。この洗面室５内での衣類乾燥の場合には、筐体吹出口１４ａの居住空間用ダンパーと筐体吹出口１４ｂの閉空間用ダンパーは共に「閉」とされて、浴室２内への温風の吹き出しが停止されている。
【００２８】
つまり、浴室２に設置された暖房乾燥機９の３つの筐体吹出口１４ａ〜１４ｃのダンパーを開閉制御することにより、浴室２内の開空間Ｋ３や閉空間Ｋ１、Ｋ２あるいは洗面室空間Ｋ４内に所定の温風等を吹き出すことができて、浴室２と洗面室５を暖房した状態での入浴、浴室２内の閉空間Ｋ１、Ｋ２の乾燥、浴室２内を乾燥させた浴室２内での衣類乾燥、洗面室５内を乾燥させた洗面室５内での衣類乾燥等が行えることになる。
【００２９】
なお、図５に示すタイミングチャートは一例であって、例えば図５（ａ）の二点鎖線ａで示すように、洗面室５の暖房を暖房乾燥機９の作動中連続して行ったり、二点鎖線ｂで示すように、浴室２の居住空間用ダンパーと閉空間用ダンパーを同時に開閉させて居住空間Ｋ３と閉空間Ｋ１、Ｋ２を同時に暖房・乾燥する等、適宜のタイミングに設定することができる。また、例えば各筐体吹出口１４ａ〜１４ｂのダンパーを廃止し、暖房乾燥機９が作動中に連続して、浴室２内の開空間Ｋ３や閉空間Ｋ１、Ｋ２あるいは洗面室空間Ｋ４内に所定の温風等を吹き出す構成とすることもできる。
【００３０】
このように、上記実施形態の衛生設備ユニット１にあっては、浴室２内に設置される暖房乾燥機９から発生する温風等が、浴室２内の開空間Ｋ３や閉空間Ｋ１、Ｋ２内あるいは洗面室空間Ｋ４の複数個所に導かれるため、浴室２で暖房・乾燥に使用される温風等を浴室２に隣接する洗面室５に吹き出してその洗面室空間Ｋ４等を暖房・乾燥でき、例えば暖房状態の洗面室５で脱衣したり着衣できて、冬季であっても快適な入浴が可能となる。
【００３１】
また、暖房乾燥機９の筐体吹出口１４ａ〜１４ｃにダンパーを設けてこれを適宜に切り替えることにより、浴室２や洗面室５の暖房運転と浴室２や洗面室５による乾燥運転が行えるため、例えば湿った温風での浴室暖房、乾いた温風での浴室暖房・浴室衣類乾燥あるいは洗面室暖房・洗面室衣類乾燥等を選択して行うことができる。特に、洗濯機が設置される洗面室５での衣類乾燥ができることで、洗濯物を浴室２内まで一々持ち運ぶ必要がなくなって洗濯作業を簡単に行うことができる等、使い勝手と付加価値に優れた衛生設備ユニット１を提供することが可能となる。
【００３２】
さらに、暖房乾燥機９の筐体吹出口１４ｂが、バスタブエプロン３ａ内側の閉空間Ｋ２とカウンターエプロン８ａ内側の閉空間Ｋ１にダクト１４ｂで連結されているため、暖房乾燥機９の温風をこれらの閉空間Ｋ１、Ｋ２に確実に導くことができて、例えば該閉空間Ｋ１、Ｋ２を換気・乾燥して黴の発生を抑制する等、浴室２内に十分な清潔さを確保することができる。また同様に、暖房乾燥機９の筐体吹出口１４ｃがダクト１５ｃで洗面室５と浴室２との間の壁面７の吹出口１６ｃに連結されているため、温風を壁面７の吹出口１６ｃから洗面室空間Ｋ４に確実に吹き出すことができて、洗面室５の暖房・乾燥を効率的に行うことができる。
【００３３】
また、暖房乾燥機９の複数の筐体吹出口１４ａ〜１４ｃにダンパーを設けると共にダクト１５ａ〜１５ｃがそれぞれ連結され、各ダンパーが制御装置２３によって開閉制御されるため、例えば入浴中には温風等を浴室２内のみに導き入浴前後には温風等を洗面室５に導く等、浴室２や洗面室５の使用形態に応じて温風等を所定の吹出口１６ａ〜１６ｃから吹き出すことができて、暖房乾燥機９を効率的に運転することができる。その結果、小型容量の暖房乾燥機９を使用できて、省エネ効果が得られると共に、例えば従来の暖房乾燥機をそのまま使用できる等、設置コスト等の安価な衛生設備ユニット１を提供することが可能となる。
【００３４】
図６は、本発明に係わる衛生設備ユニットの他の実施形態を示している。以下、上記実施形態と同一部位には同一符号を付して説明する。この実施形態の衛生設備ユニット１の特徴は、暖房乾燥機９の筐体吹出口１４ｃから洗面室５に導かれるダクト１５ｃを分岐してその一方の先端を、洗面室５の洗面台６の側方で壁面７側に設けられる洗濯機設置フロアーの洗濯機用排水路２５に開口（連通）させた点にある。なお、洗濯機用排水路２５には、その上面側に洗濯機２４が設置されると共に点検口部分に簀の子２６が着脱可能に配設され、また、ダクト１５ｃの他方の先端は、上記実施形態と同様に壁面７の吹出口１６ｃに連結されている。
【００３５】
この実施形態においても、壁面７の吹出口１６ｃから吹き出される温風により、洗面室空間Ｋ４を暖房・乾燥させることができて、上記実施形態と同様の作用効果が得られる他に、暖房乾燥機９の温風を洗濯機用排水路２５内に吹き出すことができて、該排水路２５内を乾燥させてその清潔さを十分に確保できるという作用効果が得られる。
【００３６】
なお、上記各実施形態においては、暖房乾燥機９をカウンター８の内部に設置したが、本発明はこれに限定されず、例えば壁面２ａ〜２ｃや天井２ｄ等に設置してその温風を吹出口から壁面２ａ〜２ｃ等の外側に配置したダクトを介して洗面室５に導くようにしても良いし、暖房乾燥機９の吸気孔１８もカウンターエプロン８ａに限らず、暖房乾燥機９が設置される位置に応じて浴室２や洗面室５の適宜の位置に設けることができる。また、上記実施形態における、温風の切替機構、浴室や洗面室の形態、吹出口の構成等も一例であって、例えば切替機構としてダンパーに代えて三方弁等を使用する等、本発明に係わる各発明の要旨を逸脱しない範囲において適宜の構成を採用することができる。
【産業上の利用可能性】
【００３７】
本発明は、浴室に洗面室が一体化された衛生設備ユニットに限らず、例えば浴室とトイレルームやシャワールーム等の一つの水回り空間が一体化された衛生設備ユニット、あるいは浴室と洗面室及びトイレルーム等の複数の水回り空間が一体化された衛生設備ユニット等にも適用できる。
【図面の簡単な説明】
【００３８】
【図１】本発明に係わる衛生設備ユニットの一実施形態を示す概略平面図
【図２】同図１のＡ−Ａ線に沿った矢視図
【図３】同図１のＢ−Ｂ線に沿った矢視図
【図４】同洗面室用吹出口の断面図
【図５】同暖房乾燥機の動作の一例を示すタイミングチャート
【図６】本発明に係わる衛生設備ユニットの他の実施形態を示す要部の概略平面図
【図７】従来の衛生設備ユニットの概略平面図
【図８】従来の他の衛生設備ユニットの側面図
【符号の説明】
【００３９】
１・・・衛生設備ユニット、２・・・浴室、２ａ〜２ｃ・・・壁面、２ｄ・・・天井、３・・・バスタブ、３ａ・・・バスタブエプロン、４・・・洗い場、５・・・洗面室、５ａ〜５ｃ・・・壁面、７・・・壁面、８・・・カウンター、８ａ・・・カウンターエプロン、９・・・暖房乾燥機、９ａ・・・筐体、１２・・・熱交換器、１３・・・送風ファン、１４ａ〜１４ｃ・・・筐体吹出口、１５ａ〜１５ｃ・・・ダクト、１６ａ〜１６ｃ・・・吹出口、１８・・・吸気孔、２０・・・吹出口カバー、２１・・・室内リモコン、２２・・・室外リモコン、２３・・・制御装置、２５・・・洗濯機用排水路、Ｋ１、Ｋ２・・・閉空間、Ｋ３・・・開空間、Ｋ４・・・洗面室空間。
【図１】
2006084095.tif 000003
【図２】
2006084095.tif 000004
【図３】
2006084095.tif 000005
【図４】
2006084095.tif 000006
【図５】
2006084095.tif 000007
【図６】
2006084095.tif 000008
【図７】
2006084095.tif 000009
【図８】
2006084095.tif 000010